(57)【要約】      （修正有）【課題】説明者用画面と視聴者用画面で表示データを共有しつつ説明者用画面の一部の表示要素だけを視聴者用画面に表示させる複素画面表示装置を提供する。【解決手段】１以上の表示要素を含む説明者用画面を少なくとも表示する主表示部３１０と、説明者用画面の１部または全部の表示要素からなる視聴者用画面を少なくとも表示する副表示部３２０と、説明者用画面および視聴者用画面に表示させる表示要素のデータを予め格納する表示データ記憶部２３０と、説明者用画面の表示要素に対する操作を受付ける操作入力部と、操作の対象の表示要素またはその対象に関連付けられて説明者用画面に表示されている表示要素を視聴者用画面に表示させまたは視聴者用画面から消去する制御部とを備える。【選択図】図１
2014035416.tif 000002
【特許請求の範囲】
【請求項１】
１以上の表示要素を含む説明者用画面を少なくとも表示する主表示部と、
前記説明者用画面の１部または全部の表示要素からなる視聴者用画面を少なくとも表示する副表示部と、
前記説明者用画面および前記視聴者用画面に表示させる表示要素のデータを予め格納する表示データ記憶部と、
前記説明者用画面の表示要素に対する操作を受付ける操作入力部と、
前記操作の対象の表示要素またはその対象に関連付けられて前記説明者用画面に表示されている表示要素を前記視聴者用画面に表示させまたは前記視聴者用画面から消去する制御部とを備えることを特徴とする複画面表示装置。
【請求項２】
前記制御部は、前記操作の対象の表示要素または関連付けられた表示要素が前記視聴者用画面に表示されていない場合は表示させ、前記視聴者用画面に表示されている場合は消去する請求項１に記載の複画面表示装置。
【請求項３】
前記操作は、表示要素としての漢字文字または仮名文字を選択する操作であり、
前記表示要素に関連付けられて前記説明者用画面に表示されている表示要素は漢字の読み仮名または仮名の漢字表記である請求項１または２に記載の複画面表示装置。
【請求項４】
前記操作は、表示要素としてのテキストを選択する操作であり、
前記表示要素に関連付けられて前記説明者用画面に表示されている表示要素はそのテキストの翻訳である請求項１または２に記載の複画面表示装置。
【請求項５】
前記制御部は、前記操作入力部が前記操作を受付けてから予め定められた期間の後に前記視聴者用画面に対する表示を行う請求項１〜４の何れか一つに記載の複画面表示装置。
【発明の詳細な説明】
【技術分野】
【０００１】
この発明は、説明者用の主表示部と視聴者用の副表示部を備える複画面表示装置に関する。
【背景技術】
【０００２】
教育やプレゼンテーションを支援する表示装置として、説明者用と視聴者用の異なる表示部を備えた表示装置が知られている。
例えば、視聴者側のメイン表示装置と説明者側のサブ表示装置を表裏両面に備えた持ち運び可能なプレゼンテーション支援装置が提案されている（例えば、特許文献１参照）。特許文献１によれば、説明者は視聴者に対面した状態で自画面を操作し、それを視聴者用の画面に表示してプレゼンテーションを行える。表示制御部は記憶装置から取得したプレゼンテーション用データをメイン表示装置およびサブ表示装置に表示させる。そして、サブ表示装置にプレゼンテーション用データの切換えに連動させてメイン表示装置のプレゼンテーション用データを切換える。
また、特にラップトップ型あるいはノート型パーソナルコンピュータにおける両面表示装置が提案されている（例えば、特許文献２参照）。特許文献２によれば、操作者用表示画面をすべて対話相手に表示する必要はないので、対話相手に表示する必要のある画面のみ選択して対話相手用表示画面に表示できるようにする。具体的には、スイッチの押し下げ操作により、操作者用のＶ−ＲＡＭから対話相手用のＶ−ＲＡＭに表示データを書き込むようにする。
【先行技術文献】
【特許文献】
【０００３】
【特許文献１】特開２００５−４９４７５号公報
【特許文献２】特開平９−３１９４６１号公報
【発明の概要】
【発明が解決しようとする課題】
【０００４】
コンピュータの一般的なマルチディスプレイ構成では、説明者用と視聴者用に異なる表示装置を用いるとしても、両者の表示は常に同一である。
前述の特許文献１および２のものは、いずれも説明者用画面（サブ表示装置、操作者用表示画面）と視聴者用画面（メイン表示装置、対話相手用表示画面）の表示が常に同一となる必要がないように表示を制御している。
しかし、特許文献１のものは、メイン表示装置とサブ表示装置に異なる内容を表示させようとした場合に、予め表示制御用の表示内容を作成しておく必要がある。
また、特許文献２のものは、説明者用画面の一部の表示要素だけを視聴者用画面に表示させることはできない。
この発明は、以上のような事情を考慮してなされたものであって、説明者用画面と視聴者用画面で表示データを共有しつつ説明者用画面の一部の表示要素を視聴者用画面に表示させ得る複画面表示装置を提供するものである。
【課題を解決するための手段】
【０００５】
この発明は、１以上の表示要素を含む説明者用画面を少なくとも表示する主表示部と、前記説明者用画面の１部または全部の表示要素からなる視聴者用画面を少なくとも表示する副表示部と、前記説明者用画面および前記視聴者用画面に表示させる表示要素のデータを予め格納する表示データ記憶部と、前記説明者用画面の表示要素に対する操作を受付ける操作入力部と、前記操作の対象の表示要素またはその対象に関連付けられて前記説明者用画面に表示されている表示要素を前記視聴者用画面に表示させまたは前記視聴者用画面から消去する制御部とを備えることを特徴とする複画面表示装置を提供する。
【発明の効果】
【０００６】
この発明の複画面表示装置は、説明者用画面および視聴者用画面に表示させる表示要素のデータを予め格納する表示データ記憶部と、説明者用画面の表示要素に対する操作を受付ける操作入力部と、前記操作の対象の表示要素またはその対象に関連付けられて前記説明者用画面に表示されている表示要素を前記視聴者用画面に表示させまたは前記視聴者用画面から消去する制御部とを備えるので、説明者用画面に対する操作によって、視聴者用画面への表示要素の表示および消去が可能であり、説明者は視聴者用画面の表示を状況に応じて柔軟に制御することができる。
この発明において、主表示部と副表示部とは、異なる表示装置である。その具体的な態様は、例えば、特許文献１や２のような両面表示装置であってもよく、また、教室やホールに設置され小型の主表示部と大型の副表示部を備える表示装置であってもよい。複数の副表示部があってもよい。後述する実施形態において、主表示部は主表示装置に、副表示部は副表示装置にそれぞれ対応する。
表示データ記憶部は、表示データを格納する不揮発性記憶装置で、具体的にはＲＯＭ、フラッシュメモリ、ハードディスク装置などのハードウェアが適用可能である。
また、操作入力部は、説明者用画面に対する操作を検出して受付けるものである。その具体的な態様は、例えば、主表示部に設けられたタッチパネルである。あるいは、マウス等のポインティングデバイスであってもよい。後述する実施形態において、操作入力部は、タッチパネル装置に相当する。
制御部は、ＣＰＵおよびその周辺のハードウェアで構成されてもよく、あるいはマイクロコンピュータで構成されてもよい。
【図面の簡単な説明】
【０００７】
【図１】この発明の複画面表示装置のハードウェア構成を示すブロック図である。
【図２】この発明の一実施形態として漢字とその読み仮名の表示に関する制御を示す説明図である。
【図３】この発明の異なる実施形態の表示に関する制御を示す説明図である。
【図４】この発明に係る制御部としてＣＰＵ１００が実行する処理の手順を示すフローチャートである。
【発明を実施するための形態】
【０００８】
以下、この発明の好ましい態様について説明する。
前記制御部は、前記操作の対象の表示要素または関連付けられた表示要素が前記視聴者用画面に表示されていない場合は表示させ、前記視聴者用画面に表示されている場合は消去してもよい。このようにすれば、説明者用画面の表示要素に対する操作を繰り返すことによって対応する表示要素を視聴者用画面に表示させ消去することができ便宜である。
前記制御部は、好ましくは視聴者用画面の表示、消去に応じて説明者用画面に表示されている表示要素の態様を異ならせる。具体的には表示色を変えたり、実線表示を網掛け表示や中抜き表示に変えたり、テキストであれば下線を付けたり消したりすればよい。このように表示要素の態様を異ならせると、説明者は視聴者用画面に表示要素が表示されているか否かを容易に認識することができる。
前記操作は、表示要素としての漢字文字または仮名文字を選択する操作であり、前記表示要素に関連付けられて前記説明者用画面に表示されている表示要素は漢字の読み仮名または仮名の漢字表記であってもよい。この構成は漢字の教育に便宜である。
あるいは、前記操作は、表示要素としてのテキストを選択する操作であり、
前記表示要素に関連付けられて前記説明者用画面に表示されている表示要素はそのテキストの翻訳であってもよい。この構成は語学の教育に便宜である。
また、前記制御部は、前記操作入力部が前記操作を受付けてから予め定められた期間の後に前記視聴者用画面に対する表示を行うようにしてもよい。
この発明の好ましい態様は、ここで示した複数の態様のうち何れかを組み合わせたものも含む。
【０００９】
以下、図面を用いてこの発明をさらに詳述する。なお、以下の説明は、すべての点で例示であって、この発明を限定するものと解されるべきではない。
≪ハードウェア構成≫
図１は、この発明の複画面表示装置のハードウェア構成を示すブロック図である。図１に示すように、この発明の複画面表示装置１１は、中央処理装置としてのＣＰＵ１００、主記憶装置としてのメモリ２００を備える。さらに、主表示部としての主表示装置３１０、副表示部としての副表示装置３２０、操作入力部としてのタッチパネル装置４１０およびふりがな辞書５００を備える。
【００１０】
ＣＰＵ１００は、図１に各ブロックで示す装置を制御する。この明細書でＣＰＵ１００は、クロック制御、バス制御、メモリ制御、入出力制御等の周辺回路を含む。また、これらの周辺回路が中央処理装置と一体に構成されたマイクロコンピュータであってもよい。
メモリ２００は、ＣＰＵ１００が実行すべき制御プログラムや主表示装置３１０および副表示装置３２０に表示させる表示データなどを格納する。典型的なハードウェア構成はＲＡＭおよびフラッシュメモリの組み合わせである。
図１は、メモリ２００に格納されるデータの内容に応じて７つのサブブロックを示している。主制御プログラム記憶部２１０、副制御プログラム記憶部２２０、表示データ記憶部２３０、表示制御方式記憶部２４０、表示指示記憶部２５０、主表示ビットマップ記憶部２６０および副表示ビットマップ記憶部２７０である。
【００１１】
主制御プログラム記憶部２１０は、ＣＰＵ１００が実行する主制御プログラムを格納する。主制御プログラムは主表示装置３１０の表示制御タスクに係るプログラムである。ＣＰＵ１００は、主制御プログラムに基づいて、タッチパネル装置４１０が受付けた操作あるいは図１に図示しないキーボード装置やマウス装置が受付けた操作者からの指示を表示指示記憶部２５０に格納する処理を行う。また、ＣＰＵ１００は、後述する表示データ記憶部２３０に格納された表示データおよび表示制御方式記憶部２４０に格納された制御方式を読取る。即ち、ＣＰＵ１００は、後述する表示指示記憶部２５０に格納された指示に従って表示データ記憶部２３０から表示データを読出し、表示制御方式記憶部２４０から読取った制御方式に従ってその表示データを加工する。そして、後述する主表示ビットマップ記憶部２６０に格納する。
【００１２】
副制御プログラム記憶部２２０は、ＣＰＵ１００が実行する副制御プログラムを格納する。副制御プログラムは、副表示装置３２０の表示制御タスクに係るプログラムであり、主制御プログラムのタスクから必要に応じて副制御プログラムのタスクが起動される。ＣＰＵ１００は、副制御プログラムに基づいて、表示データ記憶部２３０に格納された表示データおよび表示制御方式記憶部２４０に格納された制御方式を読取る。即ち、ＣＰＵ１００は、表示指示記憶部２５０に格納された指示に従って表示データ記憶部から表示データを読み出す。そして、表示制御方式記憶部２４０から読取った制御方式に従ってその表示データを加工し、副表示ビットマップ記憶部２７０に格納する。
【００１３】
表示データ記憶部２３０は、主表示装置３１０および副表示装置３２０に表示させるべき表示要素のデータを格納する。表示要素のデータは、表示用のビットマップに展開される前のデータであり、説明者用画面および視聴者用画面に表示される文字や画像の個々の要素に対応する。一画面を個々の部品の集合と捉えた場合の各部品のデータである。
表示制御方式記憶部２４０は、表示データ記憶部２３０に格納された表示データを加工する方法を制御方式として格納する。制御方式は、説明者用画面の表示要素に対してどのような操作がなされた場合にＣＰＵ１００がどのような制御を行うべきかを定めたルールである。制御の手順を定める点においては制御プログラムと同様であるが、制御プログラムは設計者が定めるのに対して制御方式はユーザが定めるものであってもよい。この場合は、制御方式をユーザが定めるための設定メニューの処理手順や画面を設計者が予め用意して主制御プログラムに組み込んでおきまたその表示データ記憶部２３０に格納しておくことが前提となる。
表示指示記憶部２５０は、操作者用画面のどの部分が指定され、それに対してどのような操作を受付けたかを示すデータ、即ち説明者が行った指示の内容を格納する。
【００１４】
主表示ビットマップ記憶部２６０は、主表示装置３１０が表示すべき表示データをＣＰＵ１００がビットマップ展開し生成したビットマップデータを格納する。なお、ビットマップ展開は、ＣＰＵ１００に代わって図１に図示しないハードウェアまたはプロセッサが全部または一部の処理を行ってもよい。
副表示ビットマップ記憶部２７０は、副表示装置３２０が表示すべき表示データをＣＰＵ１００がビットマップ展開し生成したビットマップデータを格納する。
【００１５】
主表示装置３１０は、主表示ビットマップ記憶部２６０の内容を読み取り表示する装置である。説明者が説明者用画面をみながら複画面表示装置１１を操作するために用いるものである。
副表示装置３２０は、副表示ビットマップ記憶部２７０の内容を読み取り表示する装置である。視聴者が視聴者用画面をみるためのものである。
【００１６】
タッチパネル装置４１０は、説明者が説明者用画面に表示された表示要素に対して指示を与えるために使うタッチパネル装置である。説明者の操作を受付ける。
ふりがな辞書５００は、漢字と読み仮名を対応付けた辞書である。漢字から読み仮名を引くことができる。好ましくは逆引き、即ち読み仮名から漢字を引くことができる。この実施形態では、漢字とその読み仮名がふりがな辞書５００によって関連付けられている。
【００１７】
≪表示制御の実施形態１≫
続いて、中央処理装置としてのＣＰＵ１００が実行する主表示装置３１０および副表示装置３２０の表示制御を具体例に基づいて説明する。
ＣＰＵ１００が実行すべき処理の手順は主制御プログラム記憶部２１０および副制御プログラム記憶部２２０に格納されている。これらのプログラムは設計者により予め定められた処理の手順である。この実施携帯によれば、それらの制御プログラムとは別に表示制御方式記憶部２４０が制御方式を格納する。前述のように、制御方式は、説明者用画面の表示要素に対してどのような操作がなされた場合にＣＰＵ１００がどのような制御を行うべきかを定めたルールである。このルールは、設計者が定めた固定的なものであってもよいが設定メニューを用いてユーザが設定してもよい。
【００１８】
制御方式の一例は、説明者が説明者用画面に表示された文字列の全部または一部を指またはペンでなぞると、その部分のふりがなや翻訳を視聴者用画面に表示するものである。さらに、その部分をなぞり直せば、視聴者用画面に表示されているふりがなや翻訳を消去するものである。
【００１９】
図２は、この発明の一実施形態として漢字とその読み仮名の表示に関する制御を示す説明図である。図２（ａ）に示すように、最初の時点で、ＣＰＵ１００は主表示装置３１０の説明者用画面に３つの四文字熟語とそれぞれの四文字熟語に関連付けられた読み仮名とを表示させている。１つめは漢字の表示要素「一意専心」とそれに関連付けられた読み仮名の表示要素「いちいせんしん」である。２つめは漢字の表示要素「疑心暗鬼」とそれに関連付けられた読み仮名の表示要素「ぎしんあんき」である。３つめは漢字の表示要素「青天霹靂」とそれに関連付けられた読み仮名の表示要素「せいてんへきれき」である。これらの表示要素は、主制御プログラムに基づきふりがな辞書５００を参照して各四文字熟語に関連付けられた読み仮名を表示するものである。ＣＰＵ１００は、各四文字熟語の漢字の表示要素とそれに対応する読み仮名の表示要素とが対応していることを属性としてメモリ２００に記憶している。
【００２０】
同時にＣＰＵ１００は、副表示装置３２０の視聴者用画面に漢字の表示要素「一意専心」、「疑心暗鬼」および「青天霹靂」を表示させている。しかし、読み仮名の表示要素「いちいせんしん」、「ぎしんあんき」および「せいてんへきれき」は表示させていない。
ＣＰＵ１００は、視聴者用画面に表示させていない読み仮名の表示要素については説明者用画面に灰色でそれぞれ表示させている。一方、視聴者用画面に表示させている漢字の表示要素については説明者用画面に黒色でそれぞれ表示させて説明者が視聴者用画面上の表示の有無を認識できるようにしている。このように黒色と灰色で区別する態様に限らず、例えば白抜き表示させるなど説明者が容易に認識できるように表示態様を異ならせる。
【００２１】
ここで、説明者が説明者用画面の表示要素「青天霹靂」の表示要素を指でなぞると、タッチパネル装置４１０がその操作を検出する。その検出に応答してＣＰＵ１００は、なぞられた部分の文字を下線表示させる（図２（ｂ）参照）。
ＣＰＵ１００は、その操作をまず表示指示記憶部２５０に一時的に格納したうえで分析の処理を行う。そして、操作がなされた位置の分析に基づいて表示要素の「青天霹靂」が操作の対象であると判断する。さらに、操作の種類として、「青天霹靂」がなぞられたと判断する。
【００２２】
続いてＣＰＵ１００は、表示制御方式記憶部２４０を参照し、表示要素をなぞる操作に係る制御方式を検索する。その結果、この実施形態に係る制御方式である「漢字文字列の全部または一部を指またはペンでなぞる操作がなされた場合、なぞられた部分の読み仮名が視聴者用画面に表示されていなければ表示させ、表示されていれば消去する」という制御方式を抽出する。
次にＣＰＵ１００は、なぞられた漢字文字列「青天霹靂」の属性を参照してそれに対応付けられた読み仮名の表示要素「せいてんへきれき」であると判断する。さらに、視聴者用画面には読み仮名が表示されていないと判断する。
【００２３】
それらの判断に基づいて、操作の検出から予め定められた期間、例えば１秒の後、ＣＰＵ１００は、視聴者用画面に読み仮名の表示要素「せいてんへきれき」を表示させる。位置は説明者用画面の表示位置に対応させる。また、説明者用画面の「せいてんへきれき」を黒色に変更する。さらに、なぞられたことを示す下線を消去する（図２（ｃ）参照）。
以上の説明は漢字と読み仮名を例に挙げたが、テキストと訳語あるいは訳文の場合も同様の処理を行う。この場合、ふりがな辞書５００に代えて翻訳辞書が必要である。
説明者は、説明者用画面の表示内容を確認し、説明者用画面の表示要素に対する操作を行いつつ、プレゼンテーションや授業など説明や教育を実施する。プレゼンテーションの対象者や授業を受ける生徒は、視聴者用画面をみる。
【００２４】
≪表示制御の実施形態２≫
制御方式の異なる例について説明する。その制御方式は、説明者が説明者用画面に表示された文字列を囲む操作をすると、その部分を視聴者用画面に表示させするものである。さらに、その部分を再び囲む操作をすると、視聴者用画面に表示されている文字列を非表示にするものである。
【００２５】
図３は、この発明の異なる実施形態の表示に関する制御を示す説明図である。図３（ａ）に示すように、最初の時点で、ＣＰＵ１００は主表示装置３１０の説明者用画面に核エネルギーに関する説明文のテキスト表示要素を表示させている。同時にＣＰＵ１００は、副表示装置３２０の視聴者用画面にその説明文の一部を表示させているが、全部は表示させていない。
ＣＰＵ１００は、視聴者用画面に表示させていないテキスト表示要素については説明者用画面に灰色でそれぞれ表示させている。一方、視聴者用画面に表示させている漢字の表示要素については説明者用画面に黒色でそれぞれ表示させて説明者が視聴者用画面上の表示および非表示を容易に認識できるようにしている。
【００２６】
ここで、説明者が説明者用画面の説明文の一部の領域を囲む操作をすると、タッチパネル装置４１０がその操作を検出する。その検出に応答してＣＰＵ１００は、囲む線を表示させる（図３（ｂ）参照）。
ＣＰＵ１００は、その操作をまず表示指示記憶部２５０に一時的に格納したうえで操作がなされた位置と操作の種類を分析し、説明文の一部を囲む操作がなされたと判断しその領域の表示要素を特定する。
【００２７】
続いてＣＰＵ１００は、表示制御方式記憶部２４０を参照し、表示要素を囲む操作に係る制御方式を検索する。その結果、この実施形態に係る制御方式である「テキストを囲む操作がなされた場合、囲まれた領域の部分のテキストが視聴者用画面に表示されていなければ表示させ、既に表示されていれば消去する」という制御方式を抽出する。
次にＣＰＵ１００は、囲まれた領域のテキストが何かを特定する。さらに、視聴者用画面には対応するテキストが表示されていないと判断する。
【００２８】
それらの判断に基づいて、操作の検出から予め定められた期間、例えば３秒の後、ＣＰＵ１００は、視聴者用画面に囲まれた領域のテキストを表示させる。位置は説明者用画面の表示位置に対応させる。また、説明者用画面の囲まれた領域のテキストを黒色に変更する。さらに、囲まれた領域を示す線を消去する（図３（ｃ）参照）。
【００２９】
≪フローチャート≫
図４は、この発明に係る制御部としてＣＰＵ１００が実行する処理の手順を示すフローチャートである。
図４に示すように、ＣＰＵ１００は、説明者用画面の表示要素に対する操作がなされたか否かを監視する（ステップＳ１１）。操作がなされた場合、表示指示記憶部２５０に操作の内容を格納しその分析を行う（ステップＳ１３）。分析に基づいて、表示制御方式記憶部２４０を参照子、格納された制御方式のうちでその操作に係る制御方式を抽出する（ステップＳ１５）。該当する制御方式が見つからなかった場合は（ステップＳ１７のＮｏ）、何もせずに処理を終了する。一方、該当する制御方式が見つかった場合は（ステップＳ１７のＹｅｓ）、その制御方式の内容に従って説明者用画面および視聴者用画面の表示制御を行い（ステップＳ１９）、処理を終了する。
【００３０】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００３１】
１１：複画面表示装置
１００：ＣＰＵ
２００：メモリ
２１０：主制御プログラム記憶部
２２０：副制御プログラム記憶部
２３０：表示データ記憶部
２４０：表示制御方式記憶部
２５０：表示指示記憶部
２６０：主表示ビットマップ記憶部
２７０：副表示ビットマップ記憶部
３１０：主表示装置
３２０：副表示装置
４１０：タッチパネル装置
５００：ふりがな辞書
【図１】
2014035416.tif 000003
【図２】
2014035416.tif 000004
【図３】
2014035416.tif 000005
【図４】
2014035416.tif 000006